(57)【要約】      （修正有）【課題】カウンタ面に水を残り難くした洗面カウンタを提供する。【解決手段】カウンタ面１２ａを有するカウンタ部１２を備え、カウンタ部は、カウンタ面を形成する多孔質層を有し、多孔質層は、親水性を有する複数の細孔を有し、カウンタ面上の水を複数の細孔で吸水し、複数の細孔の内部に吸水した水を保持可能とすることを特徴とする洗面カウンタである。また、複数の細孔のメジアン孔径は、２００ｎｍ以上７００ｎｍ以下であることを特徴とする洗面カウンタである。さらに、多孔質層の厚みは、５ｍｍ以上１０ｍｍ以下であることを特徴とする洗面カウンタである。【選択図】図１
2020044219.tif 000002
【特許請求の範囲】
【請求項１】
カウンタ面を有するカウンタ部を備え、
前記カウンタ部は、前記カウンタ面を形成する多孔質層を有し、
前記多孔質層は、親水性を有する複数の細孔を有し、前記カウンタ面上の水を前記複数の細孔で吸水し、前記複数の細孔の内部に吸水した水を保持可能とすることを特徴とする洗面カウンタ。
【請求項２】
前記複数の細孔のメジアン孔径は、２００ｎｍ以上７００ｎｍ以下であることを特徴とする請求項１記載の洗面カウンタ。
【請求項３】
前記カウンタ部は、前記多孔質層を補強する補強板を有し、
前記多孔質層は、前記補強板の上に設けられることを特徴とする請求項１又は２に記載の洗面カウンタ。
【請求項４】
前記多孔質層の厚みは、５ｍｍ以上１０ｍｍ以下であることを特徴とする請求項１〜３のいずれか１つに記載の洗面カウンタ。
【発明の詳細な説明】
【技術分野】
【０００１】
本発明の態様は、一般的に、洗面カウンタに関する。
【背景技術】
【０００２】
洗面カウンタでは、人造大理石などがカウンタ面に用いられており、手洗いなどで飛び散った水は、乾燥するまでカウンタ面に残ってしまう。カウンタ面に残った水は、次の使用者に対してカウンタ面が汚れた印象を与えてしまったり、カウンタ面に物を置き難くさせてしまったりする。このため、洗面カウンタでは、カウンタ面に水を残り難くすることが望まれる。
【先行技術文献】
【特許文献】
【０００３】
【特許文献１】特開２００９−１４８４７５号公報
【発明の概要】
【発明が解決しようとする課題】
【０００４】
本発明は、かかる課題の認識に基づいてなされたものであり、カウンタ面に水を残り難くした洗面カウンタを提供することを目的とする。
【課題を解決するための手段】
【０００５】
第１の発明は、カウンタ面を有するカウンタ部を備え、前記カウンタ部は、前記カウンタ面を形成する多孔質層を有し、前記多孔質層は、親水性を有する複数の細孔を有し、前記カウンタ面上の水を前記複数の細孔で吸水し、前記複数の細孔の内部に吸水した水を保持可能とすることを特徴とする洗面カウンタである。
【０００６】
この洗面カウンタによれば、親水性を有する複数の細孔を有する多孔質層によってカウンタ面を形成し、カウンタ面上の水を複数の細孔で吸水し、複数の細孔の内部に吸水した水を保持可能とすることにより、カウンタ面に水を残り難くすることができる。
【０００７】
第２の発明は、第１の発明において、前記複数の細孔のメジアン孔径は、２００ｎｍ以上７００ｎｍ以下であることを特徴とする洗面カウンタである。
【０００８】
この洗面カウンタによれば、複数の細孔のメジアン孔径を２００ｎｍ以上とすることにより、複数の細孔において適切な吸水速度を得ることができる。すなわち、複数の細孔の径が小さくなり過ぎて吸水速度が遅くなってしまうことを抑制することができる。また、複数の細孔のメジアン孔径を７００ｎｍ以下とすることにより、ゴミなどが細孔に入り込んで細孔を塞いでしまうことを抑制することができる。すなわち、複数の細孔の径が大きくなり過ぎ、ゴミなどが細孔に入り込み易くなってしまうことを抑制することができる。従って、複数の細孔の適切な吸水性能を確保しつつ、複数の細孔の目詰まりを抑制することができる。
【０００９】
第３の発明は、第１又は第２の発明において、前記カウンタ部は、前記多孔質層を補強する補強板を有し、前記多孔質層は、前記補強板の上に設けられることを特徴とする洗面カウンタである。
【００１０】
この洗面カウンタによれば、カウンタ部の強度を向上させることができる。
【００１１】
第４の発明は、第１〜第３のいずれか１つの発明において、前記多孔質層の厚みは、５ｍｍ以上１０ｍｍ以下であることを特徴とする洗面カウンタである。
【００１２】
この洗面カウンタによれば、多孔質層の厚みを５ｍｍ以上とすることにより、複数の細孔に適切な保持水量を持たせることができる。また、多孔質層の厚みを１０ｍｍ以下とすることにより、例えば、多孔質層による美観の低下などを抑制することができる。
【発明の効果】
【００１３】
本発明の態様によれば、カウンタ面に水を残り難くした洗面カウンタが提供される。
【図面の簡単な説明】
【００１４】
【図１】実施形態に係る洗面カウンタを模式的に表す斜視図である。
【図２】実施形態に係る洗面カウンタを模式的に表す断面図である。
【図３】多孔質層の細孔を模式的に表す説明図である。
【図４】メジアン孔径と乾燥時間との関係の一例を模式的に表すグラフ図である。
【図５】図５（ａ）及び図５（ｂ）は、複数の細孔の大きさと吸水速度との関係の一例を模式的に表すグラフ図である。
【図６】実施形態に係る洗面カウンタの変形例を模式的に表す断面図である。
【発明を実施するための形態】
【００１５】
以下、本発明の実施の形態について図面を参照しつつ説明する。なお、各図面中、同様の構成要素には同一の符号を付して詳細な説明は適宜省略する。  
図１は、実施形態に係る洗面カウンタを模式的に表す斜視図である。  
図１に表したように、洗面カウンタ１０は、カウンタ部１２を備える。また、洗面カウンタ１０は、例えば、ボウル部１４と、立ち上がり部１６と、棚板１８と、第１水栓部２１と、第２水栓部２２と、をさらに備える。
【００１６】
カウンタ部１２は、例えば、左右方向に延びる板状である。カウンタ部１２は、カウンタ面１２ａを有する。カウンタ面１２ａは、上方を向き、荷物などの載置を可能にする。カウンタ面１２ａは、換言すれば、カウンタ部１２の上面である。カウンタ面１２ａは、例えば、水平面である。カウンタ面１２ａは、荷物などを載置可能な程度の傾きを有していてもよい。また、カウンタ面１２ａは、例えば、荷物などを載置可能な程度の凹凸や反り（曲面状の部分）などを有していてもよい。カウンタ部１２の形状は、カウンタ面１２ａを有する任意の形状でよい。
【００１７】
ボウル部１４は、例えば、カウンタ部１２に設けられる。ボウル部１４は、例えば、カウンタ面１２ａよりも下方に凹む凹状である。ボウル部１４は、例えば、凹状のボウル面１４ａと、ボウル面１４ａの底部に設けられた排水口１４ｂと、を有する。排水口１４ｂは、下方において図示省略した排水管と接続され、ボウル面１４ａに吐出された水を排水管に流す。ボウル部１４は、例えば、排水口１４ｂを開閉する排水栓や、ボウル面１４ａからの水の溢れを抑制するオーバーフロー口などを有していてもよい。
【００１８】
なお、ボウル部１４は、必ずしもカウンタ面１２ａよりも下方に凹む形状でなくてもよい。例えば、いわゆるベッセル式のボウルなどのように、上方に開口する器状のボウル部１４をカウンタ面１２ａの上などに載置する構成などでもよい。また、ボウル部１４は、例えば、カウンタ部１２の上方又は下方において建築の壁面に取り付けられる構成などでもよい。
【００１９】
立ち上がり部１６は、カウンタ部１２の後端から上方に向かって延びる。立ち上がり部１６の左右方向の幅は、例えば、カウンタ部１２の左右方向の幅と実質的に同じである。換言すれば、立ち上がり部１６は、カウンタ部１２の後端全体から上方に向かって延びる。但し、立ち上がり部１６の左右方向の幅は、カウンタ部１２の左右方向の幅と異なってもよい。
【００２０】
立ち上がり部１６は、前方を向く立ち上がり面１６ａを有する。立ち上がり面１６ａは、換言すれば、立ち上がり部１６の前面である。立ち上がり面１６ａは、例えば、垂直面である。但し、立ち上がり面１６ａは、垂直面に限ることなく、傾斜していてもよいし、凹凸や反りなどを有していてもよい。
【００２１】
棚板１８は、立ち上がり部１６の上に設けられる。換言すれば、棚板１８は、カウンタ部１２の上方に設けられる。棚板１８は、例えば、立ち上がり部１６の上端から後方に向かって延びる。棚板１８は、例えば、立ち上がり部１６の上端を覆う。棚板１８の左右方向の幅は、例えば、カウンタ部１２の左右方向の幅、及び立ち上がり部１６の左右方向の幅と実質的に同じである。棚板１８は、例えば、立ち上がり部１６の上端全体を覆う。但し、棚板１８の左右方向の幅は、カウンタ部１２の左右方向の幅、及び立ち上がり部１６の左右方向の幅と異なってもよい。
【００２２】
棚板１８は、上面１８ａを有する。上面１８ａは、上方を向き、荷物などの載置を可能にする。上面１８ａは、例えば、水平面である。上面１８ａは、荷物などを載置可能な程度の傾きを有していてもよい。また、上面１８ａは、例えば、荷物などを載置可能な程度の凹凸や反りなどを有していてもよい。
【００２３】
第１水栓部２１は、立ち上がり部１６の前方に設けられる。第１水栓部２１は、ボウル部１４に向けて水を吐出する。第１水栓部２１の吐出する水は、例えば、手洗いなどを行うための洗浄水である。洗浄水は、例えば、水道水や地下水などである。また、洗浄水は、給水源から供給されたままの水でもよいし、加熱されたお湯でもよい。
【００２４】
第２水栓部２２は、立ち上がり部１６の前方において、第１水栓部２１と左右方向に並べて設けられている。第２水栓部２２は、ボウル部１４に向けて水を吐出する。第２水栓部２２の吐出する水は、例えば、石鹸水である。このように、第１水栓部２１及び第２水栓部２２の吐出する水は、水やお湯でもよいし、石鹸水などでもよい。また、石鹸水は、液状でもよいし、泡状でもよい。
【００２５】
この例において、洗面カウンタ１０は、左右方向に並べてカウンタ部１２に設けられた２つのボウル部１４と、２つのボウル部１４に対応して設けられた２つの第１水栓部２１と２つの第２水栓部２２とを備えている。
【００２６】
洗面カウンタ１０は、例えば、公衆トイレなどの公共施設に設置される。洗面カウンタ１０は、それぞれ２つのボウル部１４、第１水栓部２１、及び第２水栓部２２により、２人の使用者が同時に手洗いなどを行えるようにする。
【００２７】
但し、ボウル部１４、第１水栓部２１、及び第２水栓部２２の数は、２つに限ることなく、１つでもよいし、３つ以上でもよい。また、洗面カウンタ１０は、公共施設に限ることなく、家庭の洗面所やトイレ室などに設置してもよい。
【００２８】
また、洗面カウンタ１０において、ボウル部１４、立ち上がり部１６、棚板１８、第１水栓部２１、及び第２水栓部２２は、必要に応じて設けられ、省略可能である。例えば、第１水栓部２１や第２水栓部２２は、建築の壁面などに直接取り付けてもよい。洗面カウンタ１０は、少なくともカウンタ部１２を備えていればよい。
【００２９】
図２は、実施形態に係る洗面カウンタを模式的に表す断面図である。  
図２は、図１のＡ１−Ａ２線断面を模式的に表す。  
図２に表したように、カウンタ部１２は、多孔質層３０と、補強板３２と、を有する。多孔質層３０は、カウンタ面１２ａを形成する。多孔質層３０は、親水性を有する複数の細孔３０ａを有する。多孔質層３０は、カウンタ面１２ａ上の水を複数の細孔３０ａで吸水し、複数の細孔３０ａの内部に吸水した水を保持可能とする。
【００３０】
多孔質層３０（複数の細孔３０ａ）が親水性を有する状態とは、例えば、静的水接触角度が、９０°未満の状態である。多孔質層３０の親水性は、例えば、粉体湿潤浸透解析装置を用いた浸透速度法などによって測定することができる。
【００３１】
多孔質層３０は、例えば、複数の細孔３０ａに毛細管現象を発現させることにより、カウンタ面１２ａ上の水を複数の細孔３０ａで吸水保持する。複数の細孔３０ａの大きさ（径）は、毛細管現象によってカウンタ面１２ａ上の水を吸水保持可能な大きさに設定される。
【００３２】
複数の細孔３０ａのメジアン孔径は、例えば、２００ｎｍ以上７００ｎｍ以下である。これにより、複数の細孔３０ａに適切に毛細管現象を発現させることができる。
【００３３】
ここで、メジアン孔径とは、複数の細孔３０ａのそれぞれの大きさの頻度の累積が５０％になる大きさである。複数の細孔３０ａの大きさは、例えば、水銀圧入法やガス吸着法などによって測定することができる。複数の細孔３０ａのメジアン孔径は、水銀圧入法やガス吸着法などによって複数の細孔３０ａのそれぞれの大きさを測定し、複数の細孔３０ａの大きさの分布の中央値を算出することによって求めることができる。
【００３４】
多孔質層３０には、例えば、コンポジット材、石膏、多孔質樹脂、ポーラスシリカ、ポーラスカーボン、多孔質セラミック、多孔質金属、ゼオライト、多孔質配位高分子、有機金属構造体、又は、ポーラスコンクリートなどが用いられる。多孔質層３０の材料としては、例えば、無機系結合材を含むコンポジット材がより好適である。より詳しくは、多孔質層３０には、例えば、珪藻土とセルロース繊維と樹脂エマルジョンとを含むコンポジット材が用いられる。上記のような材料を用いることにより、適切な親水性とメジアン孔径とを有する複数の細孔３０ａを持った多孔質層３０を形成することができる。
【００３５】
多孔質層３０の厚みＴ１は、例えば、５ｍｍ以上１０ｍｍ以下である。多孔質層３０の厚みＴ１は、換言すれば、多孔質層３０の上下方向の長さである。多孔質層３０の厚みＴ１は、例えば、定規などを用いて測定することができる。例えば、多孔質層３０の厚みＴ１が、より薄い場合には、光学顕微鏡や電子顕微鏡などを用いて測定してもよい。
【００３６】
補強板３２は、多孔質層３０を補強する。多孔質層３０は、補強板３２の上に設けられる。補強板３２には、多孔質層３０よりも硬い材料が用いられる。補強板３２の硬さは、多孔質層３０の硬さよりも硬い。補強板３２には、例えば、鉄、アルミニウム、あるいはステンレスなどの金属材料や硬質な樹脂材料などが用いられる。これにより、補強板３２の材料費を抑えつつ、多孔質層３０を適切に補強することができる。但し、補強板３２の材料は、これらに限ることなく、多孔質層３０よりも硬い任意の材料でよい。
【００３７】
図３は、多孔質層の細孔を模式的に表す説明図である。  
図３に表したように、細孔３０ａの大きさ（管径）をｄ（ｍ）、細孔３０ａの真の流路長をｌｅ（ｍ）、細孔３０ａの上下方向の長さ管長をｌ（ｍ）、多孔質層３０の気孔率をε、細孔３０ａにかかる圧力をｐ（Ｐａ）、細孔３０ａに流れる水の粘度をμ（Ｐａ・ｓ）とするとき、細孔３０ａを流れる水の流速ｑ（ｍ／ｓ）は、下記の数式１にて求めることができる。
【数１】
2020044219.tif 000003
このように、細孔３０ａを流れる水の流速ｑは、細孔３０ａの大きさｄの二乗に比例する。なお、多孔質層３０に流れる水の通水量Ｑ（ｍ３／ｓ）は、流速ｑと複数の細孔３０ａの断面積の総和Ａ（ｍ２）との積（ｑ・Ａ）にて求めることができる。
【００３８】
このように、細孔３０ａの大きさを大きくするほど、細孔３０ａに流れる水の速度を高めることができる。従って、細孔３０ａの大きさを大きくするほど、カウンタ面１２ａ上の水の吸水速度を高めることができる。例えば、上記のように、複数の細孔３０ａのメジアン孔径を２００ｎｍ以上にする。これにより、複数の細孔３０ａにおいて適切な吸水速度を得ることができる。
【００３９】
一方で、細孔３０ａの大きさを大きくし過ぎると、細孔３０ａにゴミなどが入り込み、細孔３０ａが目詰まりを起こしてしまうことが懸念される。洗面カウンタ１０の使用環境において、想定し得る最も小さなゴミの１つとして化粧品（ファンデーション）に含まれる顔料が挙げられる。化粧品の顔料の大きさは、７００ｎｍよりも大きい場合が多い。従って、細孔３０ａのメジアン孔径を７００ｎｍ以下にする。これにより、複数の細孔３０ａに適切な吸水速度を与えつつ、細孔３０ａにゴミなどが入り込み、細孔３０ａが目詰まりを起こしてしまうことを抑制することができる。
【００４０】
図４は、メジアン孔径と乾燥時間との関係の一例を模式的に表すグラフ図である。  
図４は、複数の細孔３０ａのメジアン孔径の変化と、カウンタ面１２ａが乾燥するまでの時間の変化と、の関係の検討の一例を模式的に表す。この検討では、複数の細孔３０ａのメジアン孔径を変化させつつ、一人の使用者が洗面カウンタ１０を使用した際の水はねの平均的な水量をカウンタ面１２ａに滴下した状態から、カウンタ面１２ａが乾燥した状態となるまでにかかる時間を求めた。水はねの平均的な水量は、例えば、０．０３ｍＬである。カウンタ面１２ａが乾燥した状態とは、例えば、カウンタ面１２ａの表面水分量が１５％以下の状態である。カウンタ面１２ａが乾燥するまでの時間とは、換言すれば、０．０３ｍＬの水をカウンタ面１２ａに滴下した時点から、水を滴下した部分におけるカウンタ面１２ａの表面水分量が１５％まで低下した時点までの時間である。
【００４１】
図４に表したように、カウンタ面１２ａが乾燥するまでにかかる時間は、複数の細孔３０ａのメジアン孔径を大きくするほど短くなる。従って、複数の細孔３０ａのメジアン孔径を２００ｎｍ以上にすることにより、カウンタ面１２ａの濡れた状態が長時間維持されてしまうことを抑制することができる。
【００４２】
例えば、不特定多数の使用者が利用する公共施設に洗面カウンタ１０を設置した場合に、一人の使用者が洗面カウンタ１０を使用した後、次の使用者が洗面カウンタ１０を使用するまでの平均的な時間は、２分程度である。複数の細孔３０ａのメジアン孔径を５００ｎｍ以上にすることにより、カウンタ面１２ａが乾燥するまでにかかる時間を２分未満とすることができる。複数の細孔３０ａのメジアン孔径を５００ｎｍ以上にすることにより、使用者が洗面カウンタ１０を使用する際に、カウンタ面１２ａが濡れた状態となっていることを、より確実に抑制することができる。すなわち、複数の細孔３０ａのメジアン孔径は、２００ｎｍ以上７００ｎｍ以下が好ましく、より好ましくは、５００ｎｍ以上７００ｎｍ以下である。
【００４３】
図５（ａ）及び図５（ｂ）は、複数の細孔の大きさと吸水速度との関係の一例を模式的に表すグラフ図である。  
複数の細孔３０ａの大きさの指標としては、メジアン孔径の他にも、最小孔径、最大孔径、平均孔径などの複数の指標がある。本願発明者は、複数の細孔３０ａの大きさと吸水速度との相関について、どの指標を用いるべきかの検討を行った。
【００４４】
図５（ａ）は、複数の細孔３０ａのメジアン孔径の変化と吸水速度の変化との関係の一例を表している。図５（ｂ）は、複数の細孔３０ａの平均孔径の変化と吸水速度の変化との関係の一例を表している。
【００４５】
図５（ａ）及び図５（ｂ）に表したように、平均孔径と吸水速度との相関では、メジアン孔径と吸水速度との相関と比べてバラツキが大きくなってしまう。このため、平均孔径を指標として複数の細孔３０ａを形成した場合には、複数の細孔３０ａの大きさを目的とする平均孔径に制御したとしても、所望の吸水速度が得られない可能性がある。
【００４６】
これに対して、メジアン孔径を指標とした場合には、他の指標を用いた場合と比べて、吸水速度との間に高い相関を得られることが分かった。これは、指標とする大きさ（孔径）と各細孔３０ａのそれぞれの大きさとのバラツキ具合に関連するものと考えられる。
【００４７】
このように、本願発明者は、鋭意の検討の結果、複数の細孔３０ａの大きさの指標にメジアン孔径を用いることによって、吸水速度との間に高い相関を得られることを見出した。複数の細孔３０ａの大きさは、メジアン孔径を指標としてを制御する。これにより、多孔質層３０において、所望の吸水速度を得やすくすることができる。特に、珪藻土などを含む多孔質コンポジット材料を多孔質層３０に用いた場合には、メジアン孔径を指標として複数の細孔３０ａの大きさ制御することにより、吸水速度との間に高い相関を得ることができる。
【００４８】
以上、説明したように、本実施形態に係る洗面カウンタ１０では、親水性を有する複数の細孔３０ａを有する多孔質層３０によってカウンタ面１２ａを形成し、カウンタ面１２ａ上の水を複数の細孔３０ａで吸水し、複数の細孔３０ａの内部に吸水した水を保持可能とすることにより、カウンタ面１２ａに水を残り難くすることができる。
【００４９】
また、洗面カウンタ１０では、複数の細孔３０ａのメジアン孔径を２００ｎｍ以上とすることにより、複数の細孔３０ａにおいて適切な吸水速度を得ることができる。すなわち、複数の細孔３０ａの径が小さくなり過ぎて吸水速度が遅くなってしまうことを抑制することができる。また、複数の細孔３０ａのメジアン孔径を７００ｎｍ以下とすることにより、ゴミなどが細孔３０ａに入り込んで細孔３０ａを塞いでしまうことを抑制することができる。すなわち、複数の細孔３０ａの径が大きくなり過ぎ、ゴミなどが細孔３０ａに入り込み易くなってしまうことを抑制することができる。従って、複数の細孔３０ａの適切な吸水性能を確保しつつ、複数の細孔３０ａの目詰まりを抑制することができる。
【００５０】
また、洗面カウンタ１０では、カウンタ部１２が、多孔質層３０を補強する補強板３２を有することにより、カウンタ部１２の強度を向上させることができる。
【００５１】
また、洗面カウンタ１０では、多孔質層３０の厚みＴ１を５ｍｍ以上とすることにより、複数の細孔３０ａに適切な保持水量を持たせることができる。また、多孔質層３０の厚みＴ１を１０ｍｍ以下とすることにより、例えば、多孔質層３０による美観の低下などを抑制することができる。また、多孔質層３０の厚みＴ１を１０ｍｍ以下とすることにより、例えば、多孔質層３０の材料費を抑えることもできる。従って、多孔質層３０の材料費を抑えつつ、複数の細孔３０ａの適切な保持水量を確保することができる。
【００５２】
図６は、実施形態に係る洗面カウンタの変形例を模式的に表す断面図である。  
なお、上記実施形態と機能・構成上実質的に同じものについては同符号を付し、詳細な説明は省略する。  
図６に表したように、洗面カウンタ１０ａでは、立ち上がり部１６が、多孔質層３４と補強板３６とを有するとともに、棚板１８が、多孔質層３８と補強板４０とを有する。
【００５３】
多孔質層３４は、立ち上がり部１６の立ち上がり面１６ａを形成する。補強板３６は、多孔質層３４を補強する。多孔質層３８は、棚板１８の上面１８ａを形成する。補強板４０は、多孔質層３８を補強する。
【００５４】
多孔質層３４、３８には、カウンタ部１２に関して説明した多孔質層３０と実施的に同じものを用いることができる。補強板３６、４０には、カウンタ部１２に関して説明した補強板３２と実施的に同じものを用いることができる。
【００５５】
このように、立ち上がり部１６の立ち上がり面１６ａ及び棚板１８の上面１８ａをさらに多孔質層３４、３８で形成してもよい。これにより、立ち上がり面１６ａや上面１８ａに飛び散った水の残留も抑制することができる。使用者に対して、これらの面が汚れた印象を与えてしまったり、物を置き難くさせてしまったりすることを、より確実に抑制することができる。従って、洗面カウンタ１０ａにおいて、より高い美観とより高い利便性とを得ることができる。
【００５６】
なお、多孔質層は、立ち上がり部１６及び棚板１８の一方のみに設けてもよい。多孔質層は、少なくともカウンタ部１２が有していればよい。
【００５７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗面カウンタ１０、１０ａなどが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５８】
１０、１０ａ 洗面カウンタ、  １２ カウンタ部、  １２ａ カウンタ面、  １４ ボウル部、  １４ａ ボウル面、  １４ｂ 排水口、  １６ 立ち上がり部、  １６ａ 立ち上がり面、  １８ 棚板、  １８ａ 上面、  ２１ 第１水栓部、  ２２ 第２水栓部、  ３０ 多孔質層、  ３０ａ 細孔、  ３２ 補強板、  ３４ 多孔質層、  ３６ 補強板、  ３８ 多孔質層、  ４０ 補強板
【図１】
2020044219.tif 000004
【図２】
2020044219.tif 000005
【図３】
2020044219.tif 000006
【図４】
2020044219.tif 000007
【図５】
2020044219.tif 000008
【図６】
2020044219.tif 000009